(57)【特許請求の範囲】
【請求項１】
線状光源と、
前記線状光源からの光を面全体に導く導光板と、
前記線状光源を内包し、前記線状光源からの光を前記導光板の方向に反射するランプリフレクタと、
前記線状光源点灯用のケーブルと、
少なくとも前記ランプリフレクタと接し、その位置を規制する枠体を備え、
前記ケーブルを、前記ランプリフレクタと前記枠体に囲まれた空間であって、かつ前記ランプリフレクタの一部を平面状に面取りすることによって形成された空間内に収納した面状光源装置。
【請求項２】
前記面取部を発光面側の角に設けたことを特徴とする請求項１記載の面状光源装置。
【請求項３】
前記面取部を発光面側と反対側の角に設けたことを特徴とする請求項１記載の面状光源装置。
【請求項４】
前記導光板の位置する側と反対側のランプリフレクタの面状に少なくとも二つの平面により前記面取部を形成したことを特徴とする請求項１、２又は３記載の面状光源装置。
【請求項５】
前記線状光源は複数本より構成され前記面取部の平面とほぼ平行になるように前記線状光源を配置したことを特徴とする請求項２又は３記載の面状光源装置。
【請求項６】
請求項１、２、３、４又は５記載の面状光源装置を備えた表示装置。
【請求項７】
液晶の偏向作用を利用して画像の表示を行うことを特徴とする請求項６記載の表示装置。
【発明の詳細な説明】
【０００１】
【発明の属する技術分野】
本発明は、面状の光を発する面状光源装置に関し、例えば表示装置に用いられる面状光源装置に関する。
【０００２】
【従来の技術】
従来の面状光源装置を図１０を用いて説明する。図１０は、例えば液晶表示装置に用いられる面状光源装置の構成を示す図である。図１０の様に従来の面状光源装置では、線状光源１の光を反射するランプリフレクタ３に別部材９を取付けている。そしてこの別部材９に線状光源点灯用のケーブル２を通す溝１０を作製し第一の枠体７の間に収納していた。あるいは図１１に示す従来の面状光源装置では、第一の枠体７に溝１０を作成し、第二の枠体８との間にケーブル２を収納していた。
【０００３】
または図１２に示す従来の面状光源装置では、ランプリフレクタ３にＭ字型の湾曲面２０を形成し、この湾曲面２０と第一の枠体７の間にできたスペース１２にケーブル２を収納していた。
【０００４】
【発明が解決しようとする課題】
このような従来の技術においては、別部材を取り付けた場合、部品点数が多くなり外形が大きくなるという欠点があった。また第一の枠体に溝を設けて第一の枠体と第二の枠体との間に収納する場合、面状光源装置の組み立ての際にケーブルが第一の枠体と第二の枠体の間に挟まれるという問題点もあった。
【０００５】
またランプリフレクタをM字型に湾曲させることは技術的に難しいため生産性に劣り、製作コストが高くなるという欠点があった。また面状光源装置の組み立ての際にケーブルをスペースに入れ難いという問題点もあった。
【０００６】
そこで、本発明の目的は上述のような問題点を解決するためになされたものであり、外形が大きくならず、かつケーブルをスペースに容易に組み込むことができる面状光源装置及び表示装置を提供することを第一の目的とする。さらに製造が容易で、低コストで製造することができる面状光源装置及び表示装置を提供することを第二の目的とする。
【０００７】
【課題を解決するための手段】
本発明にかかる面状光源装置は、線状光源（例えば、本実施の形態における線状光源１）と、この線状光源からの光を面全体に導く導光板（例えば、本実施の形態における導光板４）と、線状光源を内包し、線状光源からの光を導光板の方向に反射するランプリフレクタ（例えば、本実施の形態におけるランプリフレクタ３）と、線状光源点灯用のケーブル（例えば、本実施の形態におけるケーブル２）と、少なくともランプリフレクタに接し、その位置を規制する枠体（例えば、本実施の形態における第一の枠体７）とを備え、前記ケーブルを、前記ランプリフレクタと前記枠体に囲まれた空間であって、かつ前記ランプリフレクタの一部を平面状に面取りすることによって形成された空間内（例えば、本実施の形態におけるスペース１２）に収納したものである。このような構成によるとケーブルを収納するために設けられた面取部が平面状に面取りされているため、製造が容易であり低コストで製造することができる。
【０００８】
上述の面取部を発光面側の角に設けてもよい。これにより、面状光源装置組み立ての際にランプリフレクタを組み込むことが容易になる。
【０００９】
また上述の面取部を発光面と反対側の角に設けてもよい。これにより、面状光源組み立ての際にケーブルが所定のスペースに納まっているか確認しながら行うことができる。
【００１０】
さらに面取部を導光板の位置する反対側のランプリフレクタの面上に少なくとも二つの平面状により設けてもよい。
【００１１】
また複数本より構成される線状光源の面取部の平面とほぼ平行になるように配置することができる。これにより表示装置の厚みを薄くすることができる。
【００１２】
上述の面状光源装置は表示装置において用いられることが望まれる。
【００１３】
上述の面状光源装置は液晶の偏向作用を利用して画像の表示を行う液晶表示装置において用いられることが特に望まれる。
【００１４】
【発明の実施の形態】
実施の形態１．
図１３は本発明の実施の形態にかかる面状光源装置を用いた液晶表示装置の構成を示す斜視図である。１９は本発明の実施の形態にかかる面状光源装置、１３は２枚の対向する基板の間に液晶材料が狭持された液晶パネル、１５および１６は液晶パネル駆動用の回路基板、１７および１８は液晶パネル駆動用のドライバーＩＣである。これら面状光源装置１９、液晶パネル１３、回路基板１５、１６及びドライバーＩＣ１７、１８を第三の枠体１４で固定することにより液晶表示装置を構成する。
【００１５】
図１４は図１３の面状光源装置を詳細に分解して液晶表示装置の構成を示す斜視図である。３は線状光源を内包したランプリフレクタ、７はランプリフレクタ３、ケーブルの位置を規制する第一の枠体である。５はプリズムシートや拡散シート等の光学シート、４は表示面内に光を均一に導く導光板、６は反射シート、１３は液晶パネルである。これらを第二の枠体８と第三の枠体１４で固定することにより液晶表示装置を構成する。
【００１６】
図１５は従来の面状光源装置を用いたフロントマウント方式と呼ばれる液晶表示装置の正面図である。図１６、図１７はそれぞれ図１５のＡ−Ａ断面、Ｂ−Ｂ断面を示した図である。本方式では液晶パネル駆動用回路基板１５及び１６が液晶パネル１３と水平に設置されているため、第三の枠体１４に組み込むことは容易であるが額縁が大きくなるという欠点があった。
【００１７】
図１８は従来の面状光源装置を用いたサイドマウント方式と呼ばれる液晶表示装置の正面図である。図１９、図２０はそれぞれ図１８のＣ−Ｃ断面、Ｄ−Ｄ断面を示した図である。本方式では液晶パネル駆動用回路基板１５及び１６が表示装置裏側に設置されているため、狭額縁化が実現可能である。
【００１８】
図１は実施の形態１にかかる面状光源装置を用いた液晶表示装置の主要構成部材の断面図を示す。図１において図１４で示した記号と同じ記号を付した構成は、図１４の構成と同一又は相当部を示し、説明を省略する。１は線状光源、２は線状光源点灯用のケーブルである。１１はランプリフレクタ３の反射面側の角を平面状に面取りした面取部であり、本実施の形態では液晶表示装置の表示面側、すなわち面状光源装置の発光面側の角に設けられている。この面取部１１によりランプリフレクタ３と第一の枠体７の間にケーブル２を収納するスペース１２を設けることができる。またランプリフレクタ３はこの形が製作できるような型を用いても製作することができる。
【００１９】
この様に構成された面状光源装置では別部材を用いずにケーブル２を収納することができ、外形が大きくならず狭額縁化が可能である。さらにランプリフレクタ３により反射されて導光板４に入光する効率を上げることができる。
【００２０】
図２１に本実施の形態１にかかる面状光源装置の組み立ての様子を示す。この面状光源装置の組み立て方法では、図２１の様にまず表示面側を下にして、第一の枠体７に光学シート５、導光板４、反射シート６を組み込む。その後に少なくとも一本以上の線状光源１を内包したランプリフレクタ３と少なくとも一本以上のケーブル２を入れ込み、第二の枠体８を組込む。ここで、本例の様に表示面側の角を面取りし、面取部１１を設けことによって、この面取部１１が面状光源装置を組込む際の誘いの役目を果たし、容易に組み込むことができる。なおこのケーブル２はランプリフレクタ３に対して片面接着テープや両面接着テープにより接着固定するようにしてもよい。また面取部１１は平面状に面取りした形状を有するため、製造が容易であり、低コストで製造することができる。
【００２１】
実施の形態２．
図２に本実施の形態２にかかる面状光源装置の主要構成部材の断面図を示す。図１、図１４で示した記号と同じ記号を付した構成は、図１、図１４の構成と同一又は相当部を示すため、説明は省略する。
【００２２】
この実施の形態２にかかる面状光源装置では発光面と反対側のランプリフレクタ３の角を面取りして面取部１１を形成し、ケーブル２を収納するスペース１２を設けている。この様に構成された面状光源装置では別部材を用いずにケーブル２を収納することができ、外形が大きくならず狭額縁化が可能である。さらにランプリフレクタ３により反射されて導光板４に入光する効率を上げることができる。
【００２３】
図２２に本実施の形態２にかかる面状光源装置の組み立ての様子を示す。実施の形態１と同様の方法で組み立てるが本実施の形態２の場合、ケーブル２が所定のスペース１２に収納されていることが容易に確認でき、ケーブル２をランプリフレクタ３と第二の枠体８に挟むことなく組み込むことができる。なおこのケーブル２はランプリフレクタ３に対して片面接着テープや両面接着テープにより接着固定するようにしてもよい。
【００２４】
実施の形態３．
図３に本実施の形態３にかかる面状光源装置の主要構成部材の断面図を示す。図１、図１４で示した記号と同じ記号を付した構成は、図１、図１４の構成と同一又は相当部を示すため、説明は省略する。
【００２５】
この実施の形態３にかかる面状光源装置では導光板４の位置する側と反対側のランプリフレクタ３の面上に二つの平面状の面取部によりケーブル２を収納するスペース１２を設けている。特にこの例では断面がＶ字状になるように２つの平面がランプリフレクタ３の内側に入り込むような溝を形成している。この様に構成された面状光源装置では別部材を用いずにケーブル２を収納することができ、外形が大きくならず狭額縁化が可能である。さらにランプリフレクタ３により反射されて導光板に入光する効率を上げることができる。
【００２６】
実施の形態４．
図４に本実施の形態４にかかる面状光源装置の主要構成部材の断面図を示す。図１、図１４で示した記号と同じ記号を付した構成は、図１、図１４の構成と同一又は相当部を示すため、説明は省略する。
【００２７】
この実施の形態４にかかる面状光源装置は複数本の線状光源１を有し、その線状光源１がランプリフレクタ３の面取部１１とほぼ平行に配置されている。この場合、導光板４からの線状光源１の位置が異なるため、複数ある線上光源１の間隔を狭くすることができ、表示装置の厚みを薄くする事が可能である。さらにランプリフレクタ３により反射されて導光板４に入光する効率を上げることができる。なお本実施の形態４にかかる面状光源装置においても別部材を用いずにケーブル２を収納することができ、外形が大きくならず狭額縁化が可能である。また面状光源装置組み立ての際、容易にランプリフレクタ３を組み込むことができる。
【００２８】
本実施の形態では発光面側の角に面取部１１を図示したが、図５のように発光面と反対側の角に面取部１１を形成しても同様の効果を得ることができる。また面状光源装置組み立ての際、ケーブル２がスペースに収納されているか容易に確認することができ、ケーブル２がランプリフレクタ３と第二の枠体８により挟まれることなく組み込むことができる。
【００２９】
この実施の形態４では線状光源１を二本で図示したが、線状光源の数は少なくとも二本以上あれば同様の効果を得ることができる。
【００３０】
実施の形態５．
上述の実施の形態１、実施の形態２又は実施の形態３はそれぞれ組み合わせても同様の効果を得ることができる。例えば図６、図７、図８又は図９の様にして実施することも可能である。
【００３１】
図６と図７に示す例ではランプリフレクタ３の面取部１１は面状光源装置の発光面側の角と、この発光面側と反対側の角の双方に設けられている。そして図６では二本の線状光源１がランプリフレクタ３に内包されており、図７では三本の線状光源１がランプリフレクタ３に内包されている。
【００３２】
図８、図９に示す例では図６で示す構成に加えて、導光板４の位置する側と反対側のランプリフレクタの面上に面取部１１が設けられている。そしてこの面取部１１は断面がＶ字状になるような面がランプリフレクタ３の内側に入り込むような溝により形成されている。図８ではこの溝が一つ設けられ、その溝を挟むようにして二本の線状光源１が配置されている。図９ではこの溝が二つ設けられ、それらの溝を挟むようにして三本の線状光源１が配置されている。
【００３３】
この実施の形態５では線状光源１は二本又は三本で図示したが、線状光源１の数は少なくとも一本以上あれば同様の効果を得ることができる。また面取部１１と溝の数は少なくとも合わせて二つ以上あれば同様の効果を得ることができる。
【００３４】
その他の実施の形態．
上述の実施の形態１、実施の形態２又は実施の形態３では全て線状光源１を二本で図示したが、線状光源の数は少なくとも一本以上あれば同様の効果を得ることができる。
【００３５】
上述の実施の形態１、実施の形態２、実施の形態３、実施の形態４又は実施の形態５では全てケーブル２の本数を一本で図示したが、ケーブルの数が複数本あっても同様の効果を得ることができる。
【００３６】
上述の実施の形態１、実施の形態２、実施の形態３、実施の形態４又は実施の形態５のいずれかの面状光源装置は表示装置において用いることができる。
【００３７】
さらにはこの面状光源装置は液晶表示装置において用いることができる。
【００３８】
また液晶の偏向作用を利用して画像の表示を行う表示装置においても用いることができる。
【００３９】
そして反射型の液晶パネルによって形成される表示装置において用いてもよい。
【００４０】
【発明の効果】
本発明によれば、外形が大きくならずかつケーブルを容易に組み込むことができる面状光源装置及び表示装置を提供することができ、さらに製造が容易で、低コストで製造できる面状光源装置及び表示装置を提供することができる。
【図面の簡単な説明】
【図１】本発明の実施の形態１にかかる面状光源装置の構成を示す断面図である。
【図２】本発明の実施の形態２にかかる面状光源装置の構成を示す断面図である。
【図３】本発明の実施の形態３にかかる面状光源装置の構成を示す断面図である。
【図４】本発明の実施の形態４にかかる面状光源装置の構成を示す断面図である。
【図５】本発明の実施の形態４にかかる面状光源装置の構成を示す断面図である。
【図６】本発明の実施の形態５にかかる面状光源装置の構成を示す断面図である。
【図７】本発明の実施の形態５にかかる面状光源装置の構成を示す断面図である。
【図８】本発明の実施の形態５にかかる面状光源装置の構成を示す断面図である。
【図９】本発明の実施の形態５にかかる面状光源装置の構成を示す断面図である。
【図１０】従来の面状光源装置の構成を示す断面図である。
【図１１】従来の面状光源装置の構成を示す断面図である。
【図１２】従来の面状光源装置の構成を示す断面図である。
【図１３】本発明の実施にかかる面状光源装置の構成を示す分解斜視図である。
【図１４】本発明の実施にかかる面状光源装置の構成を示す詳細分解斜視図である。
【図１５】従来の面状光源装置を用いた液晶表示装置の正面図である。
【図１６】図１５に示す面状光源装置の断面Ａ−Ａを示した図である。
【図１７】図１５に示す面状光源装置の断面Ｂ−Ｂを示した図である。
【図１８】従来の面状光源装置を用いた液晶表示装置の正面図である。
【図１９】図１８に示す面状光源装置の断面Ｃ−Ｃを示した図である。
【図２０】図１８に示す面状光源装置の断面Ｄ−Ｄを示した図である。
【図２１】本発明の実施の形態１にかかる面状光源装置の組み立ての様子を示した図である。
【図２２】本発明の実施の形態２にかかる面状光源装置の組み立ての様子を示した図である。
【符号の説明】
１  線状光源  ２  ケーブル  ３  ランプリフレクタ  ４  導光板
５  光学シート  ６  反射シート  ７  第一の枠体  ８  第二の枠体
９  別部材  １０  溝  １１  面取部  １２  スペース  １３  液晶パネル
１４  第三の枠体  １５  液晶パネル駆動用の回路基板
１６  液晶パネル駆動用のドライバーＩＣ  １７  液晶パネル駆動用の回路基板
１８  液晶パネル駆動用のドライバーＩＣ  １９  面状光源装置  ２０  湾曲面
【図１】
0004008738.tif 000002
【図２】
0004008738.tif 000003
【図３】
0004008738.tif 000004
【図４】
0004008738.tif 000005
【図５】
0004008738.tif 000006
【図６】
0004008738.tif 000007
【図７】
0004008738.tif 000008
【図８】
0004008738.tif 000009
【図９】
0004008738.tif 000010
【図１０】
0004008738.tif 000011
【図１１】
0004008738.tif 000012
【図１２】
0004008738.tif 000013
【図１３】
0004008738.tif 000014
【図１４】
0004008738.tif 000015
【図１５】
0004008738.tif 000016
【図１６】
0004008738.tif 000017
【図１７】
0004008738.tif 000018
【図１８】
0004008738.tif 000019
【図１９】
0004008738.tif 000020
【図２０】
0004008738.tif 000021
【図２１】
0004008738.tif 000022
【図２２】
0004008738.tif 000023